(57)【要約】【課題】噴霧作業中の労力的負担を小さくし、疲労の蓄積を少なくし、作業能率を向上させる。【解決手段】両肩掛けバンド１０ａ、１０ｂに、フック部１９とフック受け部２０とからなり、その一方に２分割した胸当てバンド１２の一方の胸側分割バンド１２ａの分割端側部の止め位置調節を行える分割バンド止め位置調節部を設け、その他方に、２分割した胸当てバンド１２の他方の胸側分割バンド１２ｂの分割側端部を固定する分割バンド端部固定部を設け、更にその一方に、フック止め解除用操作部２３を設けたバンド長さ調節機能付き分離・結合具２１を備えた胸当てバンド１２を掛け渡して取り付ける。【選択図】　　　　図１
2004073588.tif 000002
【特許請求の範囲】
【請求項１】
肩掛けバンドを２本と腹巻きバンドを１本備え、その両肩掛けバンドの各一端に薬液タンクの上部との係合部を夫々設け、又両肩掛けバンドの各他端に薬液タンクの下部との係合部を夫々設け、その腹巻きバンドの両端に薬液タンクの下部との係合部を夫々設け、更に各肩掛けバンドにバンド長さ調節手段を夫々備え、又腹巻きバンドにバンド長さ調節機能付きバンド分離・結合手段を備えてなる背負い式噴霧器であって、上記両肩掛けバンドに、バンド長さ調節機能付きバンド分離・結合手段を備えた胸当てバンドを掛け渡して、その両端部を夫々取り付けることを特徴とする胸当てバンド付き背負い式噴霧器。
【請求項２】
胸当てバンドに備えるバンド長さ調節機能付きバンド分離・結合手段として、フックを備えたフック部とそのフックを止めるフック受けを設けたフック受け部とからなり、そのフック部又はフック受け部の一方に、２分割した胸当てバンドの一方の胸側分割バンドの分割端側部の止め位置調節を行える分割バンド止め位置調節部を設け、そのフック部又はフック受け部の他方に、２分割した胸当てバンドの他方の胸側分割バンドの分割側端部を固定する分割バンド端部固定部を設け、更にそのフック部又はフック受け部の一方にフック止め解除用操作部を設けたバンド長さ調節機能付き分離・結合具を用いることを特徴とする請求項１記載の胸当てバンド付き背負い式噴霧器。
【請求項３】
胸当てバンドの両端部に、その各端部の対応する肩掛けバンドへの止めと、その止めの解除により肩掛けバンドの長手方向に沿う一方向又は反対方向への移動を行えるバンド端部止め・移動手段を夫々設けて、両肩掛けバンドに取り付けることを特徴とする請求項１又は２記載の胸当てバンド付き背負い式噴霧器。
【請求項４】
各バンド端部止め・移動手段として、胸当てバンドの一端部に取り付けたバンド止め・解除具とそのバンド止め・解除具の所定箇所に差し通した補助バンドとを用い、その補助バンドを対応する肩掛けバンドの長手方向に沿わせ、その補助バンドの両端部を肩掛けバンドの所定箇所に夫々固着することを特徴とする請求項３記載の胸当てバンド付き背負い式噴霧器。
【発明の詳細な説明】
【０００１】
【発明の属する技術分野】
本発明は、薬液を噴霧する背負い式噴霧器、特にその背負いバンドに関する。
【０００２】
【従来の技術】
従来、薬液を噴霧する背負い式噴霧器にはその背負い用のバンドとして、使用者の両肩部に夫々掛ける肩掛けバンドが備えられている。しかし、薬液タンクの容量を大きくし、駆動源としてエンジン、二次電池等を用いたりする場合には、特に噴霧器の重量が大きくなる。そこで、図３に示すように噴霧器１の重量が大きい場合には、背負いバンドとして、２本の肩掛けバンド２（２ａ、２ｂ）に１本の腹巻きバンド３を追加して用いている。その際、両肩掛けバンド２はその各上端を薬液タンク４の上部に結合し、その各下端を薬液タンク４の下部に結合する。又、腹巻きバンド３はその両端を薬液タンク４の下部に結合する。
【０００３】
このため、噴霧器１の重量が大きくても、その重量を使用者の両肩部と腹部に分散させて保持させ、噴霧器１を背中に密着させることができる。しかも、両肩掛けバンド２には夫々その内面側に幅広で若干のクッション性を有する帯状の重ね部材５（５ａ、５ｂ）を積層して、肩部から脇部に掛かるように備えている。それ故、噴霧作業をそれなりに良好に行なえる。なお、両肩掛けバンド２はいずれも２分割したバンドをバンド長さ調節機能付き結合具６を介して夫々結合している。又、腹巻きバンド３も２分割したバンドをバンド長さ調節機能付きバンド分離・結合具７を介して結合している。
【０００４】
【発明が解決しようとする課題】
しかしながら、このような両肩掛けバンド２と腹巻きバンド３とを備えた噴霧器１を背負って噴霧作業を続けていると、その作業中に左手で噴霧圧力選択用調圧弁ダイヤル、ロータリースイッチ等の圧力調節用つまみ８を適宜回転させ、右手で噴霧のオンオフ操作をし、噴霧竿等を絶えず大きく左右、上下に振ったりしなければならない。すると、両肩掛けバンド２が両肩部から次第に外れて、そのバンド間隔が広がって行き、両肩部による噴霧器１の支持が不十分になって、噴霧器１の背中への密着性が悪くなる。そこで、作業中に両肩掛けバンド２を時々手で持つ等して適切な位置に戻す必要がある。それ故、噴霧作業中の労力的負担が大きく、疲労が増し、作業能率にも悪影響を与える。
【０００５】
本発明はこのような従来の問題点に着目してなされたものであり、噴霧作業中の労力的負担を小さくして、疲労の蓄積を少なくし、作業能率を向上させることのできる胸当てバンド付き背負い式噴霧器を提供することを目的とする。
【０００６】
【課題を解決するための手段】
上記目的を達成するために、本発明による胸当てバンド付き背負い式噴霧器では肩掛けバンドを２本と腹巻きバンドを１本備え、その両肩掛けバンドの各一端に薬液タンクの上部との係合部を夫々設け、又両肩掛けバンドの各他端に薬液タンクの下部との係合部を夫々設け、その腹巻きバンドの両端に薬液タンクの下部との係合部を夫々設け、更に各肩掛けバンドにバンド長さ調節手段を夫々備え、又腹巻きバンドにバンド長さ調節機能付きバンド分離・結合手段を備える。
【０００７】
そして、上記両肩掛けバンドに、バンド長さ調節機能付きバンド分離・結合手段を備えた胸当てバンドを掛け渡し、その両端部を夫々取り付ける。
【０００８】
又、上記胸当てバンドに備えるバンド長さ調節機能付きバンド分離・結合手段として、フックを備えたフック部とそのフックを止めるフック受けを設けたフック受け部とからなり、そのフック部又はフック受け部の一方に、２分割した胸当てバンドの一方の胸側分割バンドの分割端側部の止め位置調節を行える分割バンド止め位置調節部を設け、そのフック部又はフック受け部の他方に、２分割した胸当てバンドの他方の胸側分割バンドの分割側端部を固定する分割バンド端部固定部を設け、更にそのフック部又はフック受け部の一方にフック止め解除用操作部を設けたバンド長さ調節機能付き分離・結合具を用いると好ましくなる。
【０００９】
又、上記胸当てバンドの両端部に、その各端部の対応する肩掛けバンドへの止めと、その止めの解除により肩掛けバンドの長手方向に沿う一方向又は反対方向への移動を行えるバンド端部止め・移動手段を夫々設けて、両肩掛けバンドに取り付けるとよい。
【００１０】
又、上記各バンド端部止め・移動手段として、胸当てバンドの一端部に取り付けたバンド止め・解除具とそのバンド止め・解除具の所定箇所に差し通した補助バンドとを用い、その補助バンドを対応する肩掛けバンドの長手方向に沿わせ、その補助バンドの両端部を肩掛けバンドの所定箇所に夫々固着すると好ましくなる。
【００１１】
【発明の実施の形態】
以下、添付の図１、２を参照して、本発明の実施の形態を説明する。
図１は本発明を適用した胸当てバンド付き背負い式噴霧器の背負い状態を示す斜視図、図２はその背負いバンドの全体構成を示す斜視図である。この背負いバンド９は両肩に１本ずつ掛ける２本の肩掛けバンド１０（１０ａ、１０ｂ）、腹に巻き付ける１本の腹巻きバンド１１、胸に当てる１本の胸当てバンド１２を一体化して構成し、各バンド１０、１１、１２にはいずれにもその両面等に無数の滑り止め凹凸を分散してほぼ均等に設けておく。そして、両肩掛けバンド１０の各一端に薬液タンク１３の上部との結合部として、例えばその各端部を少し内側に折り返して重ね合せ、その中央に鳩目１４（１４ａ、１４ｂ）を夫々設ける。又、両肩掛けバンド１０の各他端に薬液タンク１３の下部との係合部として、例えばその各端部巻き止めリング１５（１５ａ、１５ｂ）に、開閉用ばね片付きフック１６（１６ａ、１６ｂ）を夫々備える。その際、各端部巻き止めリング１５に腹巻きバンド１１の対応する端部をも夫々重ね合わせて巻き止めする。
【００１２】
又、これ等の両肩掛けバンド１０をいずれも肩側バンド１０ａ１、１０ｂ１と脇側バンド１０ａ２、１０ｂ２とに夫々２分割し、再度それ等をバンド長さ調節機能付き結合手段を用いて結合する。その際、バンド長さ調節機能付き結合手段として、例えば肩側分割バンド１０ａ１、１０ｂ１の分割側端部を巻き止め固定する分割バンド端部止め部と、脇側分割バンド１０ａ２、１０ｂ２の分割端側部の巻き止め位置調節を自在に行える分割バンド止め位置調節部とを有するバンド長さ調節具１７（１７ａ、１７ｂ）を夫々用いる。なお、両脇側分割バンド１０ａ２、１０ｂ２の各分割端部を夫々少し内側に折り返して重ね合せ、そこを肩掛けバンド１０の長さ調節時に脇側分割バンド１０ａ２、１０ｂ２を引いて巻き止め位置を調節するための先端つまみ１８（１８ａ、１８ｂ）にする。
【００１３】
又、これ等の両肩掛けバンド１０を構成する各肩側分割バンド１０ａ１、１０ｂ１の中央部に、バンド長さ調節機能付きバンド分離・結合手段を備えた胸当てバンド１２を掛け渡して、その両端部を夫々取り付ける。その際、胸当てバンド１２を左右のバンド１２ａ、１２ｂに２分割し、バンド長さ調節機能付きバンド分離・結合手段として、例えばフックを備えたフック部１９とそのフックを止めるフック受け凹所を備えたフック受け部２０とからなるバンド分離・結合具２１を用いる。
【００１４】
そして、フック部１９に右胸側分割バンド１２ａの分割端側部の巻き止め位置調節を自在に行える分割バンド止め位置調節部２２を設け、更にフック止め解除用操作部２３を外部に臨ませて設ける。すると、分離・結合具２１に胸当てバンド１２の長さ調節機能を持たせることができる。又、フック受け部２０に左胸側分割バンド１２ｂの分割側端部を巻き止め固定する分割バンド端部固定部２４を設ける。なお、右胸側分割バンド１２ａの分割端部を少し内側に折り返して重ね合せ、そこを胸当てバンド１２の長さ調節時に右胸側分割バンド１２ａを引いて巻き止め位置を調節するための先端つまみ２５にする。
【００１５】
又、胸当てバンド１２の両肩掛けバンド１０への取り付けに際し、その胸当てバンド１２の両端部に、その各端部の対応する肩掛けバンド１０への止めと、その止めの解除により肩掛けバンド１０の長手方向に沿う一方向又は反対方向への移動を行えるバンド端部止め・移動手段を夫々設ける。そして、両バンド端部止め・移動手段として、例えば胸当てバンド１２の両端部に、その各端部を巻き止め固定する止めリング２６（２６ａ、２６ｂ）付きのバンド止め・解除具２７（２７ａ、２７ｂ）を夫々用いる。すると、その各バンド止め・解除具２７の所定箇所に補助バンド２８（２８ａ、２８ｂ）を３点で、その中央では内側、両側では外側から支持して夫々差し通し、その各補助バンド２８を対応する肩掛けバンド１０の長手方向に沿わせ、補助バンド２８の両端部を肩掛けバンド１０の所定箇所に夫々固着して取り付けることができる。
【００１６】
しかも、このようにして取り付けると、両肩掛けバンド１０と両補助バンド２８とを夫々平行に配置し、それ等のバンド１０、２８に対し、胸当てバンド１２を垂直に支持できる。そこで、噴霧器２９の背負い時に、特に一番荷重の掛かる両肩掛けバンド１０の肩側分割バンド１０ａ１、１０ｂ１に対し、幅広で若干のクッション性を有する帯状重ね部材３０（３０ａ、３０ｂ）を夫々重ね合わせて結合する。すると、両肩側分割バンド１０ａ１、１０ｂ１を帯状重ね部材３０で夫々補強し、両脇へのめり込みを防止して背負い易くし、噴霧作業時の負担を少なくすることができる。なお、各帯状重ね部材３０は肩側分割バンド１０ａ１、１０ｂ１の鳩目側端部には設けず、分割端部側では更に伸ばしてバンド長さ調節具１７の内側に夫々重なるように延設する。
【００１７】
又、これ等の両肩掛けバンド１０と止めリング１５、開閉用ばね片付きフック１６を共有する腹巻きバンド１１も左右のバンド１１ａ、１１ｂに２分割し、再度それ等をバンド長さ調節機能付き分離・結合手段を用いて結合する。その際、バンド長さ調節機能付きバンド分離・結合手段として、例えばフックを備えたフック部３１とそのフックを止めるフック受け凹所を設けたフック受け部３２とからなる分離・結合具３３を用いる。
【００１８】
そして、フック部３１に右腹側分割バンド１１ａの分割端側部の巻き止め位置調節を自在に行える分割バンド止め位置調節部３４を設け、更にフック止め解除用操作部３５を外部に臨ませて設ける。すると、分離・結合具３３に長さ調節機能を持たせることができる。又、フック受け部３２に左腹側分割バンド１１ｂの分割側端部を巻き止め固定する分割バンド端部固定部３６を設ける。なお、右腹側分割バンド１１ａの分割側端部を少し内側に折り返して重ね合せ、そこを腹巻きバンド１１の長さ調節時に右腹側分割バンド１１ａを引いて巻き止め位置を調節するための先端つまみ３７にする。
【００１９】
この背負いバンド９を噴霧器２９に取り付ける場合、両肩掛けバンド１０の各一端部に設けた鳩目１４を用いて、噴霧器２９の上部に結合する。又、その両肩掛けバンド１０の各他端部と両腹巻きバンド１１の各端部とに共通に設けた開閉用ばね片付きフック１６を用いて、噴霧器２９の下部に結合する。すると、使用者は上蓋３８を外して薬液をタンク１３に注入し、その上蓋３８を閉じた後、その背負いバンド９により噴霧器２９を背負って噴霧作業を行える。なお、薬液圧送ポンプの駆動源がエンジンの場合には背負い前に始動する。
【００２０】
背負い時には、先に腹巻きバンド１１と胸当てバンド１２とに備えたバンド長さ調節機能付きバンド分離・結合具２１、３３のフック止め解除用操作部２３、３５を夫々操作し、その各フック止めを解除して、各フックを対応するフック止め凹所から引き抜いて腹巻きバンド１１と胸当てバンド１２とをいずれも２分割状態に分離しておく。すると、図１に示すように背負いバンド９を使用者の体に装着して噴霧器２９を背負うことができる。その際、各バンド長さ調節機能付きバンド分離・結合具２１、３３のフックをフック受け凹所に夫々嵌めて胸当てバンド１２と腹巻きバンド１１を結合した後、両肩掛けバンド１０をその脇側分割バンド１０ａ２、１０ｂ２の各先端つまみ１８を夫々引く等して、長さ調節する。
【００２１】
又、胸当てバンド１２を左右の補助バンド２８に沿って上下方向に移動させて、その止め位置を決定し、更にその右胸側分割バンド１２ａの先端つまみ２５を引く等して長さを調節する。又、腹巻きバンド１１をその右腹側分割バンド１１ａの先端つまみ３７を引く等して長さを調節する。すると、噴霧器２９の重量を両肩掛けバンド１０、腹巻きバンド１１、胸当てバンド１２により、使用者の両肩部、腹部、胸部に分散保持させ、噴霧器２９を背中に良好に密着できる。
【００２２】
そこで、左手で噴霧圧力選択用調圧弁ダイヤル、ロータリースイッチ等の圧力調節用つまみ３９を適宜回転させ、右手で噴霧のオンオフ操作をし、噴霧竿等を左右、上下に振ったりして噴霧作業を行なう。その際、両肩掛けバンド１０に両端部を取り付けて胸当てバンド１２を掛け渡してあるため、右手等を絶えず大きく動かして噴霧作業を行っても、その作業中に両肩掛けバンド１０が両肩部から外れることなく、両脇へのめり込みを防止でき、両肩部、胸部等による噴霧器２９の支持を良好に行い得て、常に噴霧器２９の背中への密着性が良くなる。それ故、噴霧作業中の労力的負担が小さく、疲労の蓄積も少なく、作業能率を上げることができる。
【００２３】
上記実施の形態では胸当てバンド１２に備えるバンド長さ調節機能付きバンド分離・結合手段として、フックを備えたフック部１９とそのフックを止めるフック受け凹所を設けたフック受け部２０とからなるバンド長さ調節機能付きバンド分離・結合具２１を用い、そのフック部１９に２分割した胸当てバンド１２の右胸側分割バンド１２ａの分割端側部の巻き止め位置調節を自在に行えるバンド止め位置調節部２２とフック止め解除用操作部２３を設け、そのフック受け部２０に２分割した胸当てバンド１２の左胸側分割バンド１２ｂの分割側端部を固定する分割バンド端部固定部２４を設ける場合について説明したが、そのフック部又はフック受け部の一方に、２分割した胸当てバンドの一方の胸側分割バンドの分割端側部の止め位置調節を行える分割バンド止め位置調節部を設け、そのフック部又はフック受け部の他方に、２分割した胸当てバンドの他方の胸側分割バンドの分割側端部を固定する分割バンド端部固定部を設け、更にそのフック部又はフック受け部の一方にフック止め解除用操作部を設けることができる。
【００２４】
【発明の効果】
以上説明した本発明によれば、請求項１記載の発明では両肩掛けバンドにバンド長さ調節機能付きバンド分離・結合手段を備えた胸当てバンドを掛け渡して取り付けることにより、その胸当てバンドと腹巻きバンドとを夫々２つに分離して噴霧器を簡単に背負うことができる。又、背負い後にそれ等の分離した胸当てバンドと腹巻きバンドを結合し、両肩掛けバンド、胸当てバンド、腹巻きバンドの長さ調節を適切に行って、噴霧器の重量を使用者の両肩部、胸部、腹部に分散保持させ、噴霧器を背中に良好に密着できる。
【００２５】
すると、噴霧作業中に噴霧竿等を手に持って左右、上下に振る等して移動し、その他の噴霧に必要な操作をしても両肩掛けバンドに胸当てバンドの両端部を取り付けて掛け渡してあるため、両肩掛けバンドが両肩部から外れることなく、両脇へのめり込みを防止でき、両肩部、胸部等による噴霧器の支持を良好に行い得て、常に噴霧器の背中への密着性が良くなる。それ故、噴霧作業中の労力的負担が小さく、疲労の蓄積も少なく、作業能率を上げることができる。
【００２６】
又、請求項２記載の発明では２分割した胸当てバンドに備えるバンド分離・結合手段として、フックを備えたフック部とそのフックを止めるフック受けを設けたフック受け部とからなるバンド長さ調節機能付きバンド分離・結合具を用い、そのフック部又はフック受け部の一方に、一方の分割バンド止め位置調節部を設け、他方に他方の分割バンド端部固定部を設けることにより、一方の分割バンドの分割端側部の止め位置調節を行い、使用者の体に合せて、胸当てバンドの長さ調節を簡単に行える。又、そのフック部又はフック受け部の一方にフック止め解除用操作部を設けることにより、そのフックをフック受けに嵌めてフックを止め、或いはフック止め解除用操作部を操作して、フックをフック受け凹所から外し、使用者の体に胸当てバンドを装着脱できる。
【００２７】
又、請求項３記載の発明では胸当てバンドの両端部にバンド端部止め・移動手段を夫々設けることにより、その胸当てバンドの各端部を対応する肩掛けバンドに止め、又その止めを解除して両肩掛けバンドの長手方向に沿って一方向又は反対方向に移動し、使用者の体に合せて、その胸当てバンド設置位置を決定できる。
【００２８】
又、請求項４記載の発明では各バンド端部止め・移動手段として、胸当てバンドの一端部に取り付けたバンド止め・解除具と、そのバンド止め・解除具の所定箇所に差し通した補助バンドとを用いることにより、その胸当てバンドの端部をバンド止め・解除具によって対応する補助バンドに止め、又その止め状態を解除して補助バンドに沿って簡単に移動させることができる。
【図面の簡単な説明】
【図１】本発明を適用した胸当てバンド付き背負い式噴霧器の背負い状態を示す斜視図である。
【図２】同胸当てバンド付き背負い式噴霧器に用いる背負いバンドの全体構成を示す斜視図である。
【図３】従来の背負い式噴霧器の背負い状態を示す斜視図である。
【符号の説明】
９…背負いバンド　１０ａ、１０ｂ…肩掛けバンド　１０ａ１、１０ｂ１…肩側分割バンド　１０ａ２、１０ｂ２…脇側分割バンド　１１…腹巻きバンド　１１ａ、１１ｂ…右左腹側分割バンド　１２…胸当てバンド　１２ａ、１２ｂ…右左胸側分割バンド　１３…薬液タンク　１４…鳩目　１５、２６…止めリング　１６…開閉用ばね片付きフック　１７…バンド長さ調節具　１８、２５、３７…先端つまみ　１９、３１…フック部　２０、３２…フック受け部　２１、３３…バンド長さ調節機能付きバンド分離・結合具　２２、３４…分割バンド止め位置調節部　２３、３５…フック止め解除用操作部　２４、３６…分割バンド端部固定部　　２７…バンド止め・解除具　２８…補助バンド　２９…噴霧器　３０…帯状重ね部材
【図１】
2004073588.tif 000003
【図２】
2004073588.tif 000004
【図３】
2004073588.tif 000005